(57)【要約】【課題】車両の後尾に取り付けられるようにした空気浄化装置を提供する。【解決手段】本発明の車両の後尾用空気浄化装置は、 車両の後尾に取り付けられるようにしたもので、車両の幅に対応する長さを有し、スリット孔が備えられた吸入管体と、前記吸入管体内の空気を強制的に吸入するエアポンプと、前記エアポンプから排出される空気を浄化させるフィルター手段とから構成することにより、車両の排気ラインから発生する煤煙および微細粉塵と共に、車両の走行過程で発生するタイヤ周辺の微細粉塵や粉塵などを同時に吸入し、これを浄化させた後に大気中に排出されるようにするので、車両から直接または間接的に排出される微細粉塵粒子および様々な形態の粉塵などを効果的に除去することができるうえ、大気中に微細粉塵が拡散することを最大限に抑えることができるため、車両による微細粉塵の発生量を著しく減らすことができるという効果がある。【選択図】図１
2019183830.tif 000002
【特許請求の範囲】
【請求項１】
車両の幅に対応する長さを有し、スリット孔が備えられた吸入管体と、前記吸入管体の内部と誘導管を介して連結されたエアポンプと、前記エアポンプに連結されたフィルター手段とから構成され、
前記吸入管体のスリット孔は、車両のエンドマフラーおよびタイヤを向くように配置され、前記吸入管体の上部両側には、車両の後尾に吸入管体を固定設置することができるようにした取付ブラケットが結合され、
前記エアポンプの作動によってスリット孔を介して吸入管体の内部、誘導管および前記エアポンプに流入した汚染空気は、前記フィルター手段へ供給されて浄化されるようにし、浄化された流入空気は、前記フィルター手段に設けられた排出口を介して大気中に排出されるように構成することを特徴とする、車両の後尾用空気浄化装置。
【請求項２】
前記フィルター手段は、エアポンプに連結される流入口、および大気中に流入空気を送り出す排出口を備え、前記流入口と前記排出口との間には、メッシュフィルター、活性炭フィルターおよびヘパフィルターが順次隔設されるように構成することを特徴とする、請求項１に記載の車両の後尾用空気浄化装置。
【請求項３】
前記フィルター手段は、上部に差し込み孔を設け、前記差し込み孔の下側および前記フィルター手段の内部にはフィルターガイドを突設することにより、前記メッシュフィルター、前記活性炭フィルターおよび前記ヘパフィルターが前記差し込み孔および前記フィルターガイドによってそれぞれ交換できるように構成することを特徴とする、請求項２に記載の車両の後尾用空気浄化装置。
【発明の詳細な説明】
【技術分野】
【０００１】
本発明は、車両の後尾に取り付けられるようにした空気浄化装置に関し、より詳細には、乗用車や貨物車などの車両の後尾に装着し、車両の排気ガスおよびタイヤによる路面粉塵などを吸入した後、これを浄化させて排出させることにより、車両により発生する直接・間接的な形態の微細粉塵などを効率よく抑制および除去することができるようにした、車両の後尾用空気浄化装置に関する。
【背景技術】
【０００２】
２０１３年、世界保健機関（ＷＨＯ）によって１級発がん物質として指定された微細粉塵は、人体に深刻な悪影響を及ぼすことが報告されており、年々汚染が深刻化すると同時に危険性が強調されており、近年深刻な社会イシューとなっている。
【０００３】
韓国の場合、上述した微細粉塵は、約３０〜５０％は中国から飛散してくる黄砂およびスモッグによるもの、残りは国内自体の汚染源から発生しているものと知られており、その中でも、煤煙を含んでいる車両の排気ガスからも相当量の微細粉塵が排出されており、高濃度の微細粉塵が予報される場合、車両２部制などの対策を講じたりもする。
【０００４】
これにより、韓国登録実用新案第２０−０１３４９７４号のように、排気パイプを介して排出される煤煙ガスを捕集して排出煤煙を低減させることができるようにするために、排気パイプと、排気パイプに設けられた消音器と、消音器を通過した直後の排気パイプに設けられた煤煙捕集ケースと、稠密なメッシュを有する金属網からなり、煤煙捕集ケースに回転可能に装着された煤煙捕集フィルターと、煤煙捕集フィルターを分離して洗浄することができるように煤煙捕集ケースに取り付けられたカバーと、煤煙捕集ケースの下部一側に設けられ、煤煙捕集フィルターに外気を供給する級気孔とから構成された、ディーゼル車の煤煙低減構造が案出および登録されたことがある。
【０００５】
また、韓国登録実用新案第２０−０２６６９３４号のように、内面に多数の案内翼を取り付けてなる挿入管を一体にしたボディの前面板には多数の貫通孔を穿孔し、ボディの内部にはフィルターを挿入し、底面には開閉ドアを設け、上端には固定用ブラケットを一体に結合してなる車両用煤煙排出防止用フィルター装置が案出および登録されたことがある。
【０００６】
また、韓国登録実用新案第２０−０３４９３７８号のように、車両のマフラーの後尾を直接構成するか或いは前記マフラーの後尾に別途取り付ける煤煙防止器に関するものであって、前記車両マフラーの後尾を、排気ガスを浄化させる煤煙フィルター筒が組み込まれた煤煙防止ケースとして直接構成するか、或いは、前記マフラーの後尾に、排気ガスを浄化させる煤煙フィルター筒が組み込まれた煤煙防止ケースを別途取り付けるが、不織布からなる前記煤煙フィルター筒には、一側が互いに互い違いに開放される煤煙フィルターを、グリースオイルに浸けて濡れている状態の不織布から構成し、一定の間隔を置いて複数個配置し、前記煤煙フィルター筒の排出口には、不織布で覆われたスクリーン鉄網を設置することにより、車両排気ガスの煤煙が前記煤煙フィルター筒を通過するとき、不織布に含浸されているグリースオイルに煤煙中の一酸化炭素などが付着し、排出口からは有害な物質を含有していない排気ガスの熱気のみ排出されるようにした、車両マフラー用煤煙防止器が案出および登録されたことがある。
【０００７】
また、韓国特許第１０−１２１４０９７号のように、排気ガスが通るケーシングの内部に位置し、前記排気ガスの流動方向と交差する方向に並列配置される二つ以上のフィルターと；前記フィルターの配列構造が維持されるように前記フィルターが固定され、前記ケーシングの内部に装着される固定手段と；を含んで構成される。本発明に係る煤煙濾過装置を利用すれば、ケーシング全体を分解することなくフィルターの装着および交換が可能なので、メンテナンス作業が容易になり、フィルターの破損部分のみを取り替えることができるので、メンテナンス費用を削減することができ、外部からの衝撃や外力によってフィルターが容易に破損しないという利点を持つ、ディーゼル用煤煙濾過装置が案出および登録されたことがある。
【０００８】
ところが、従来の煤煙濾過装置は、車両の排気ラインのうちのエンドマフラーに直接装着して使用するか、或いは排気ラインの中間部に装着して使用するか、或いはエンドマフラーの末端に結合して使用しなければならないので、構造に応じて排気ライン全体に対する取替あるいは改善が要求されることがほとんどであって、実際運行している車両への適用にはかなりの問題点を持っている。
【０００９】
また、車両の運行過程で発生する微細粉塵は、煤煙を含んでいる排気ガス以外にも、車両のタイヤが路面と摩擦しながら発生する形態の微細粉塵および路面に沈んていた微細粉塵の飛散など、車両により間接的に発生する微細粉塵への対策は全くない状態である。
【先行技術文献】
【特許文献】
【００１０】
【特許文献１】韓国登録実用新案２０−０１３４９７４号公報
【特許文献２】韓国登録実用新案２０−０２６６９３４号公報
【特許文献３】韓国登録実用新案２０−０３４９３７８号公報
【特許文献４】韓国登録特許１０−１２１４０９７号公報
【発明の概要】
【発明が解決しようとする課題】
【００１１】
本発明は、かかる問題点を解決するためになされたもので、その目的は、車両の後尾に装着可能にしたもので、車両の幅に対応する長さを有し、スリット孔が備えられた吸入管体と、前記吸入管体内の空気を強制的に吸入するエアポンプと、前記エアポンプから排出される空気を浄化させるフィルター手段とから構成することにより、
【００１２】
車両のマフラーを介して排出される煤煙および車両の運行に伴うタイヤ周辺の微細粉塵を吸入および浄化排出して、車両から直接あるいは間接的に排出される微細粉塵を抑制および除去することができるようにした、車両の後尾用空気浄化装置を提供することにある。
【課題を解決するための手段】
【００１３】
上記目的を達成するための本発明は、車両の幅に対応する長さを有し、スリット孔が備えられた吸入管体と、前記吸入管体の内部と誘導管を介して連結されたエアポンプと、前記エアポンプに連結されたフィルター手段とから構成され、前記吸入管体のスリット孔は車両のエンドマフラーおよびタイヤを向くように配置され、前記吸入管体の上部両側には車両の後尾に吸入管体を固定設置することができるようにした取付ブラケットが結合され、
【００１４】
エアポンプの作動によってスリット孔を介して吸入管体の内部、誘導管およびエアポンプに流入した汚染空気は、前記フィルター手段へ供給されて浄化されるようにし、浄化された流入空気は、前記フィルター手段に設けられた排出口を介して大気中に排出されるように構成する、車両の後尾用空気浄化装置を提供する。
【発明の効果】
【００１５】
本発明は、車両の排気ラインから発生する煤煙および微細粉塵と共に、車両の走行過程で発生するタイヤ周辺の微細粉塵および粉塵などを同時に吸入し、これを浄化させた後に大気中に排出されるようにするので、車両から直接または間接的に排出される微細粉塵および様々な形態の粉塵などを効果的に除去することができるうえ、大気中に微細粉塵が拡散することを最大限に抑えることができるため、車両による微細粉塵の発生量を著しく減らすことができるという効果がある。
【図面の簡単な説明】
【００１６】
【図１】本発明に係る車両用空気浄化装置の全体斜視図である。
【図２】本発明に係る車両用空気浄化装置の設置例示図である。
【図３】本発明に係る車両用空気浄化装置が貨物車に装着された状態の背面図である。
【図４】本発明に係る車両用空気浄化装置が貨物車に装着された状態の側面図である。
【図５】本発明に係る車両用空気浄化装置のフィルター手段の詳細断面図である。
【発明を実施するための形態】
【００１７】
以下、添付図面を参照して、本発明の好適な実施形態を詳細に説明する。
【００１８】
図１は本発明に係る車両用空気浄化装置の全体斜視図、図２は本発明に係る車両用空気浄化装置の設置例示図、図３は本発明に係る車両用空気浄化装置が貨物車に装着された状態の背面図、図４は本発明に係る車両用空気浄化装置が貨物車に装着された状態の側面図である。
【００１９】
図示の如く、本発明に係る車両用空気浄化装置は、車両のマフラー、すなわち、排気ラインの末端であるマフラーエンドから大気中に排出される煤煙および排気ガスを捕集し、車両の走行中にタイヤの周りから発生するタイヤの粉塵および路面の粉塵などを一緒に捕集して、これらから異物および微細粉塵を浄化させた後、さらに大気中に放出する過程を経て、車両から直接排出される微細粉塵だけでなく、車両の運行に伴って発生する間接的な微細粉塵も除去することができる。
【００２０】
本発明では、車両の幅に対応する長さを有する長方形の吸入管体１０を備えるが、前記吸入管体１０の一側には車両のマフラーエンドおよびタイヤを向くスリット孔１１が横方向に長く穿設されており、前記吸入管体１０の上部には別個のエアポンプ２０が固定設置されており、前記吸入管体１０とエアポンプ２０とは誘導管１２によって連結されている。
【００２１】
また、前記エアポンプ２０の一側には、別個のフィルター手段３０が取り付けられており、前記フィルター手段３０は、内部が空いており、一側には前記エアポンプ２０に連結される流入口３２が設けられており、他側には内部の空気を送り出すための排出口３１が設けられている。
【００２２】
特に、前記吸入管体１０の上部両側には、金属板材などを折曲形成してなる取付ブラケット４０、４０’が結合しており、前記取付ブラケット４０、４０’を用いて、前記吸入管体１０を車両の後尾下側に固定設置することができる。このときの前記吸入体１０に穿設されたスリット孔１１は、車両のマフラーエンドおよびタイヤを向くことになる。
【００２３】
また、前記エアポンプ２０は、車両の電気装置に連結されるようにして車両の始動がかかるとともに、前記エアポンプ２０に電源が印加されるようにしてマフラーエンドからの煤煙および排気ガスを直ちに吸入することができるようにしたものである。
【００２４】
これにより、前記エアポンプ２０が作動して車両の煤煙が内部に吸入されると、誘導管１２に沿ってエアポンプ２０の内部へ移動し、前記汚染空気は、エアポンプ２０および流入口３２に沿ってフィルター手段３０の内部へ供給される。フィルター手段３０によって汚染空気中の各種異物や微細粉塵などを濾した後、前記排出口３１を介して浄化済みの空気が排出されるようにしたのである。
【００２５】
特に、本発明の車両用空気浄化装置は、車両の煤煙だけでなく、タイヤの周りから発生する粉塵や異物などを効果的に除去することができるもので、前記タイヤは、走行中に路面との摩擦により数多くの粉塵が発生するものであり、タイヤの粉塵以外にも、路面に沈んていた粉塵や微細粉塵あるいは各種異物が車両の走行と同時に飛散するので、このような微細粉塵および異物などが前記吸入管体１０の内部に流入しながら、一緒に浄化排出され得るのである。
【００２６】
また、本発明の車両用空気浄化装置は、図５に示すように、多段のフィルターが内蔵されたフィルター手段３０を適用することができるものであり、前記フィルター手段３０の上部には、多数の差し込み孔３６が前記流入口３２から順次互いに隔設されており、前記差し込み孔３６を介して多数のフィルターをフィルター手段３０の内側に挿入することができるのである。
【００２７】
この時、前記差し込み孔３６の下部およびフィルター手段３０の内側下部には、フィルターガイド３７が突設されており、前記差し込み孔３６を介して内側に挿入されるさまざまなフィルターは、前記フィルターガイド３７を介して案内されながらフィルター手段３０の内部を区画する。
【００２８】
特に、前記フィルター手段３０には、それぞれメッシュフィルター３３、活性炭フィルター３４およびヘパフィルター３５が順次挿入される。前記メッシュフィルター３３は、合成樹脂あるいは金属メッシュで製作され、前記流入口３２を介して供給される汚染空気中の比較的粒子の大きい異物を濾過するものである。前記メッシュフィルター３３を通過した汚染空気は、前記活性炭フィルター３４によって粉塵や微細粉塵などが１次に濾過され、さらにヘパフィルター３５を通過しながら、人体に有害な微細粉塵などが完全に濾過される。
【００２９】
次いで、前記ヘパフィルター３５を通過した浄化空気が前記排出口３１を介して大気中に排出されるので、結局、本発明に係る車両用空気浄化装置は、車両による煤煙および微細粉塵などの直接的な汚染物だけでなく、タイヤ自体および路面上の異物や微細粉塵などが迅速かつ効果的に除去できるため、さらに環境にやさしい装置といえるのである。
【００３０】
また、前記フィルター手段３０は、一定周期ごとに各種フィルターをフィルター手段３０から分離して洗浄あるいは交換することができるので、使用上の利便性も非常に優れる。
【００３１】
以上、本明細書に記載された実施形態および図面に示されている構成は、本発明の最も好適な一実施形態に過ぎないものであり、本発明の技術的思想をすべて代弁するものはないので、これらを代替することができる多様な均等物と変形例があり得ることを理解すべきである。
【符号の説明】
【００３２】
１０    吸入管体
１１    スリット孔
１２    誘導管
２０    エアポンプ
３０    フィルター手段
３１    排出口
３２    流入口
３３    メッシュフィルター
３４    活性炭フィルター
３５    ヘパフィルター
３６    差し込み孔
３７    フィルターガイド
４０，４０’    取付ブラケット
【図１】
2019183830.tif 000003
【図２】
2019183830.tif 000004
【図３】
2019183830.tif 000005
【図４】
2019183830.tif 000006
【図５】
2019183830.tif 000007